(57)【要約】【課題】水位センサの速やかな修理を可能にした食器洗浄機を提供する。【解決手段】制御部１１は、給水電磁弁４４を開弁制御して洗浄槽２０への給水を開始し、水位センサ３１により洗浄槽２０内に所定水位以上の水が貯められていることが検出された時に、給水電磁弁４４弁を閉弁制御して洗浄槽２０への給水を停止する給水工程と、給水工程に続いて実行される洗浄工程及びすすぎ工程とを含む食器洗浄運転を実行する。エラー報知部１２は、給水工程において電極センサ４６により洗浄槽２０からの溢水が検出されたときに、水位センサ３１の故障を特定した報知を行う。【選択図】  図３
2016101409.tif 000002
【特許請求の範囲】
【請求項１】
食器が収容される洗浄槽と、
前記洗浄槽に給水する給水管と、
前記給水管に設けられて前記給水管を開閉する給水弁と、
前記洗浄槽内に所定水位以上の水が貯められていることを検出する水位センサと、
前記洗浄槽からの溢水を検出する溢水センサと、
前記給水弁を開弁制御して前記洗浄槽への給水を開始し、前記水位センサにより前記洗浄槽内に前記所定水位以上の水が貯められていることが検出された時に、前記給水弁を閉弁制御して前記洗浄槽への給水を停止する給水工程と、該給水工程に続いて実行されて前記洗浄槽内の洗浄又はすすぎを行う工程とを実行する制御部と
を備えた食器洗浄機であって、
前記給水工程において前記溢水センサにより前記洗浄槽からの溢水が検出されたときに、前記水位センサの故障を特定した報知を行うエラー報知部を備えたことを特徴とする食器洗浄機。
【請求項２】
請求項１に記載の食器洗浄機において、
前記制御部は、前記給水工程において前記給水弁の閉弁制御を開始した時から、前記洗浄槽内の洗浄又はすすぎを行う工程において洗浄又はすすぎを開始するまでの間に、所定の待ち時間を設定し、
前記エラー報知部は、前記待ち時間内に前記溢水センサによって前記洗浄槽からの溢水が検出されたときに、前記給水弁の故障を特定した報知を行うことを特徴とする食器洗浄機。
【発明の詳細な説明】
【技術分野】
【０００１】
本発明は、エラー報知機能を備えた食器洗浄機に関する。
【背景技術】
【０００２】
従来、食器洗浄機において種々のエラー報知を行う構成が提案されている（例えば、特許文献１，２参照）。
【０００３】
特許文献１に記載された食器洗浄機は、洗浄槽内に所定水位以上の水が貯められていることを検出するフロート式の水位センサと、該所定水位よりも高い水位位置に設けられた電極センサとを備えている。そして、洗浄工程において、水位センサがＯＦＦの状態で電極センサがＯＮ（電極間が導通）したときに、食器洗浄機用の洗剤ではなく通常の台所用洗剤が誤って使用されたために、洗浄槽内に大量の泡が発生した泡異常状態であると判断して、泡異常の表示を行っている。
【０００４】
また、特許文献２に記載された食器洗浄機は、洗浄槽に給水するための給水配管に設けられた給水電磁弁について、運転停止中に給水電磁弁を閉弁制御しているにも拘わらず、洗浄槽内の水位が満水位よりも低い状態から満水まで上昇したことが水位センサにより検出されたときに、給水電磁弁が故障していると判断して、異常を検出した旨の表示を行っている。
【先行技術文献】
【特許文献】
【０００５】
【特許文献１】特開２０１３−１１１４３６号公報
【特許文献２】特開２００７−１２５１６５号公報
【発明の概要】
【発明が解決しようとする課題】
【０００６】
上記特許文献１に記載された食器洗浄機では、水位センサの故障により洗浄槽内の水位が所定水位に達したことが検出されずに、洗浄槽内に所定水位を超える給水がなされて電極センサがＯＮした場合にも、誤って泡異常の表示がなされる。
【０００７】
また、上記特許文献２に記載された食器洗浄機では、水位センサが故障していると、洗浄槽内の水の水位が上昇したことを検出することができないため、給水電磁弁の故障を検知することができない。
【０００８】
このように、上記特許文献１，２に記載された食器洗浄機においては、水位センサが正常に動作していることを前提としてエラー（泡異常、給水電磁弁の故障）を判断する構成となっているため、水位センサの故障が生じたときには、水位センサを速やかに修理する必要がある。
【０００９】
本発明はかかる背景に鑑みてなされたものであり、水位センサの速やかな修理を可能にした食器洗浄機を提供することを目的とする。
【課題を解決するための手段】
【００１０】
本発明は上記目的を達成するためになされたものであり、本発明の食器洗浄機は、
食器が収容される洗浄槽と、
前記洗浄槽に給水する給水管と、
前記給水管に設けられて前記給水管を開閉する給水弁と、
前記洗浄槽内に所定水位以上の水が貯められていることを検出する水位センサと、
前記洗浄槽からの溢水を検出する溢水センサと、
前記給水弁を開弁制御して前記洗浄槽への給水を開始し、前記水位センサにより前記洗浄槽内に前記所定水位以上の水が貯められていることが検出された時に、前記給水弁を閉弁制御して前記洗浄槽への給水を停止する給水工程と、該給水工程に続いて実行されて前記洗浄槽内の洗浄又はすすぎを行う工程とを実行する制御部と
を備えた食器洗浄機であって、
前記給水工程において前記溢水センサにより前記洗浄槽からの溢水が検出されたときに、前記水位センサの故障を特定した報知を行うエラー報知部を備えたことを特徴とする。
【００１１】
かかる本発明において、前記給水工程が実行されたときに前記水位センサと前記給水弁が正常に動作していれば、前記洗浄槽内に前記所定水位以上の水が貯まったことが前記水位センサにより検出された時点で、前記給水弁が閉弁されて前記洗浄槽への給水が停止する。そのため、前記溢水センサにより前記洗浄槽からの溢水が検出されることはない。
【００１２】
それに対して、前記水位センサは正常に動作しているが、前記給水弁の開弁故障（閉弁制御を行っても開弁状態が維持される故障）が生じたときには、前記給水工程において、前記洗浄槽内に前記所定水位以上の水が貯まったことが前記水位センサにより検出された時点で、前記制御部は前記給水弁の閉弁制御を行って前記給水工程を終了する。そして、前記制御部は引き続き次の工程（前記洗浄槽内の洗浄又はすすぎを行う工程）を実行するため、前記給水弁の開弁故障により前記洗浄槽への給水が継続して、前記洗浄槽からの溢水が前記溢水センサにより検出されるのは次の工程に移行した後となる。
【００１３】
また、前記水位センサが故障している場合は、前記給水工程において、前記洗浄槽内に前記所定水位以上の水が貯まったことが前記水位センサにより検出されることがない。そのため、前記制御部による前記給水弁の閉弁制御が実行されず、前記洗浄槽から水が溢れる状況となる。したがって、前記給水工程において、前記洗浄槽からの溢水が前記溢水センサにより検出されたときには、前記水位センサが故障していると判断することができる。
【００１４】
そこで、前記エラー報知部は、前記給水工程において前記溢水センサにより前記洗浄槽からの溢水が検出されたときに、前記水位センサの故障を特定した報知を行う。この報知により、使用者は前記水位センサの故障を認識することができるため、修理依頼をする際に故障要因が前記水位センサであることを伝えることができ、修理担当者は、対象を前記水位センサに絞って速やかに修理を行うことができる。
【００１５】
また、前記洗浄槽からの溢水の原因が前記水位センサであることが特定できるため、他の部品について不必要な修理がなされることを回避することができる。
【００１６】
なお、前記洗浄槽内の洗浄又はすすぎを行う工程には、前記洗浄槽に収容された食器の洗浄又はすすぎを行う工程と、前記洗浄槽自体の洗浄又はすすぎを行う工程とが含まれる。
【００１７】
また、前記制御部は、前記給水工程において前記給水弁の閉弁制御を開始した時から、前記洗浄槽内の洗浄又はすすぎを行う工程において洗浄又はすすぎを開始するまでの間に、所定の待ち時間を設定し、
前記エラー報知部は、前記待ち時間内に前記溢水センサによって前記洗浄槽からの溢水が検出されたときに、前記給水弁の故障を特定した報知を行うことを特徴とする。
【００１８】
この構成において、前記給水工程において前記給水弁の閉弁制御が行われるのは、前記水位センサが正常に作動していて、前記洗浄槽に前記所定水位以上の水が貯められていることが検出されたときである。そのため、前記待ち時間内に前記溢水センサにより前記洗浄槽からの溢水が検出された場合には、前記給水弁の開弁故障が生じているために前記洗浄槽への給水が継続して、前記洗浄槽からの溢水が生じたと判断することができる。
【００１９】
そこで、この場合に、前記エラー報知部は、前記給水弁の故障を特定した報知を行う。この報知により、使用者は前記給水弁の故障を認識することができるため、修理依頼をする際に故障要因が前記水位センサであることを伝えることができ、修理担当者は、対象を前記給水弁に絞って速やかに修理を行うことができる。
【図面の簡単な説明】
【００２０】
【図１】本実施形態の食器洗浄機の構成を断面により示した説明図。
【図２】図１に示した食器洗浄機の使用態様の説明図。
【図３】図１に示した食器洗浄機の制御ブロック図。
【図４】図１に示した操作パネルの構成図。
【図５】給水工程及び給水工程の次工程のフローチャート。
【図６】水漏れエラー表示、水位センサエラー表示、及び給水電磁弁エラー表示の説明図。
【発明を実施するための形態】
【００２１】
本発明の食器洗浄機の実施形態について、図１〜図６を参照して説明する。
【００２２】
図１を参照して、本実施形態の食器洗浄機１は、システムキッチン等の天板（カウンタートップ）ＣＴの下部に備え付けられた前面引き出し式の食器洗浄機であり、筐体４０の開口Ｍを介して洗浄槽２０が水平方向にスライドして出し入れされる。
【００２３】
筐体４０内には、洗浄槽２０に水を供給するための給水管４１、給水管４１を開閉して洗浄槽２０への水の供給と停止を切り替える給水電磁弁４４（本発明の給水弁に相当する）、洗浄槽２０内の水を排水するための排水管４２、洗浄槽２０が筐体４０の最奥部付近の洗浄位置に収納された洗浄槽セット状態を検出する位置センサ４５、及び洗浄槽２０からの溢水等を検出する電極センサ４６（本発明の溢水センサに相当する）が備えられている。なお、給水電磁弁４４に代えてモータによる電動弁を用いてもよい。
【００２４】
洗浄槽２０には、Ｗ等の食器を収容した食器かご２１がセットされ、食器に向けて水を噴射する洗浄ノズル２２、洗浄槽２０に貯められた水を加熱するヒータ２３、洗浄槽２０の温度を検出する温度センサ２４、ポンプ２６、及び乾燥ファン２８が備えられている。
【００２５】
ポンプ２６は、正転作動時は洗浄槽２０内の水を洗浄ノズル２２から噴射して循環させ、逆転作動時には洗浄槽２０内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の前面上方の通気口ｅから排気される。
【００２６】
洗浄槽２０の貯水部と連通管２７により接続された水位検出槽３０には、洗浄槽２０に所定水位の水が貯められていることを検出するフロート式の水位センサ３１が設けられている。
【００２７】
洗浄槽２０の前端の上面には、使用者により操作される操作部５０が配置されている。操作部５０の詳細については後述する。さらに、洗浄槽２０には、食器洗浄機１の全体的な作動を制御するコントローラ１０が備えられ、洗浄槽２０の前面には、洗浄槽２０を出し入れする際に使用者により把持される取手部６０が設けられている。
【００２８】
次に、図２（ａ）に示したように、洗浄槽２０が筐体４０内の洗浄位置に収納された洗浄槽セット状態であるときは、位置センサ４５がＯＮ（検出状態）になる。それに対して、図２（ｂ）に示したように、洗浄槽２０が筐体４０から引き出されているときには、位置センサ４５がＯＦＦ（非検出状態）になる。
【００２９】
また、操作部５０は洗浄槽２０の前部の天面に設けられているため、図２（ａ）に示した洗浄槽２０が筐体４０に収納された状態では、操作部５０がシステムキッチンの天板ＣＴによって隠蔽される。そのため、使用者は操作部５０の操作及び視認をすることができない。
【００３０】
そこで、食器洗浄機１においては、図２（ｂ）に示した洗浄槽２０が筐体４０から引き出された状態で、使用者が、操作部５０を操作して食器洗浄運転の開始を指示した後に、洗浄槽２０を筐体４０に押し込むことにより、食器洗浄運転が開始される仕様となっている。
【００３１】
なお、本実施形態においては、洗浄槽２０に収容された食器の洗浄と乾燥を行う運転（食器洗浄運転）と、洗浄槽２０に収容された食器の乾燥のみを行う運転（食器乾燥運転）と、洗浄槽２０及び食器かご２１の洗浄を行う運転（槽内洗浄運転）とを、食器洗浄運転と総称する。
【００３２】
次に、図３を参照して、コントローラ１０は、図示しないＣＰＵ、メモリ、インターフェース回路等により構成された電子回路ユニットであり、メモリに保持された食器洗浄機１の制御用プログラムをＣＰＵで実行することにより、一連の食器洗浄運転の処理を実行する制御部１１と、各種のエラーを報知するエラー報知部１２として機能する。
【００３３】
コントローラ１０には、温度センサ２４、水位センサ３１、位置センサ４５、及び電極センサ４６の各検出信号が入力される。また、コントローラ１０から駆動回路７０を介して出力される制御信号により、ヒータ２３、ポンプ２６、給水電磁弁４４、及び乾燥ファン２８の作動が制御される。
【００３４】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ及び予約ＬＥＤ５４と、ブザー５５の作動が制御される。
【００３５】
操作部５０には、図４に示したように、食器洗浄運転の開始と一時停止を指示するためのスタートスイッチ５１、食器洗浄運転のコース（運転工程）を選択するためのコース選択部５２、予約運転を指示するための予約スイッチ５４、及び予約運転が設定されていることを示すための予約ＬＥＤ５４ａが設けられている。なお、コースＬＥＤ５３ａ〜５３ｅ及び予約ＬＥＤ５４は、後述するように、エラー報知部１２による報知にも用いられる。
【００３６】
コース選択部５２は、食器洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される食器洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００３７】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００３８】
ここで、「標準コース」は、「初期排水工程」→「給水工程」→「洗浄工程」→「排水工程」→「給水工程」→「水すすぎ工程」→「排水工程」→「給水工程」→「加熱すすぎ工程」→「排水工程」→「乾燥工程」を実行する基本的なコースである。「標準＋乾燥２時間コース」は、「標準コース」において、乾燥工程の時間を２時間に変更したコースである。
【００３９】
「標準＋ソフト排気コース」は、「標準コース」において、乾燥工程で通気口ｅから排気される温風の温度を４０℃に抑えるコースである。「標準＋ソフト排気＋乾燥２時間コース」は、「標準コース」において、乾燥工程の時間を２時間に変更すると共に乾燥工程で通気口ｅから排気される温風の温度を４０℃に抑えるコースである。
【００４０】
また、「念入りコース」、「念入り＋乾燥２時間コース」、「念入り＋ソフト排気コース」、及び「念入り＋ソフト排気＋乾燥２時間コース」は、「標準コース」、「標準＋乾燥２時間コース」、「標準＋ソフト換気コース」、及び「標準＋ソフト換気＋乾燥２時間コース」において、それぞれ加熱すすぎ工程におけるすすぎ水の加熱温度を８０℃に設定するコースである。「乾燥コース」は、乾燥工程のみを実行するコースである。
【００４１】
「槽内洗浄コース」は、洗浄工程において洗浄水を「標準コース」よりも高温に加温すること以外は、「標準コース」と同様である。
【００４２】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００４３】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５４ｃを点灯して、他のＬＥＤ５３ｂ，５３ｄ，５３ｅを消灯する。
【００４４】
コントローラ１０は、食器洗浄機１の設置時等に電源接続部（図示しない）が商用電源に接続されて、電源スイッチ（図示しない）がＯＮ操作されたときに作動を開始する。コントローラ１０は、洗浄槽２０が筐体４０から引き出されて、位置センサ４５がＯＦＦ（洗浄セット状態が検出されない状態）になったときに、食器洗浄運転の初期選択コースである「標準コース」を選択して標準ＬＥＤ５３ａを点灯する。
【００４５】
コントローラ１０は、洗浄槽２０が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作ｄに応じてＬＥＤ５３ａ〜５３ｅ，５４ａのいずれかを点灯する。
【００４６】
次に、図５に示したフローチャートに従って、「標準コース」等による食器洗浄運転において実行される「給水工程」の処理について説明する。
【００４７】
制御部１１は、使用者によりスタートスイッチ５１が操作された後に、位置センサ４５により洗浄槽２０が洗浄槽セット位置まで押し込まれたことが検出された時に、食器洗浄運転を開始し、洗浄槽２０内の残水を排水する「初期排水工程」を実行した後に「給水工程」を実行する。また、制御部１１は、「水すすぎ工程」及び「加熱すすぎ工程」の前にも「給水工程」を実行する。
【００４８】
制御部１１は、ＳＴＥＰ１で給水電磁弁４４を開弁制御し、これにより給水管４１を介した洗浄槽２０への給水が開始される。制御部１１は、続くＳＴＥＰ２とＳＴＥＰ１０からなるループにより、ＳＴＥＰ２で水位センサ３１がＯＮするか、又はＳＴＥＰ１０で電極センサ４６がＯＮするのを待つ。
【００４９】
ここで、水位センサ３１が正常に動作していれば、給水管４１からの給水により洗浄槽２０内に所定水位以上の水が貯まった時に、水位センサ３１がＯＮ（検出状態）になる。そしてこの場合はＳＴＥＰ２からＳＴＥＰ３に進み、制御部１１は、給水電磁弁４４を閉弁制御する。給水電磁弁４４が閉弁することにより、給水管４１から洗浄槽２０への給水が停止する。
【００５０】
そして、制御部１１は、続くＳＴＥＰ４で「給水工程」を終了して、次の工程（「洗浄工程」、「水すすぎ工程」、「加熱すすぎ工程」のいずれか）に移行する。
【００５１】
ここで、給水電磁弁４４が開弁故障（閉弁制御をしても、給水電磁弁４４が開状態に維持される故障）しているときには、ＳＴＥＰ３で給水電磁弁４４を閉弁制御しても給水電磁弁４４が開弁状態に維持される。
【００５２】
そのため、給水管４１から洗浄槽２０への給水が継続されるが、水位センサ３１がＯＮしてから洗浄槽２０から水が溢れ始めるまでには、ある程度の時間を要する。したがって、洗浄槽２０から溢れた水により電極センサ４６がＯＮするのは、「給水工程」ではなく次の工程に移行した後になる。
【００５３】
そこで、制御部１１は、続くＳＴＥＰ５で待ち時間タイマをスタートさせ、ＳＴＥＰ６及びＳＴＥＰ２０からなるループにより、待ち時間タイマがタイムアップするまでの間に、電極センサ４６がＯＮするか否かを判断する。
【００５４】
そして、電極センサ４６がＯＮせずに待ち時間タイマがタイムアップしたとき（この場合は給水電磁弁４４が閉弁されていると判断できる）は、ＳＴＥＰ６からＳＴＥＰ７に進み、制御部１１は洗浄又はすすぎ運転を開始する。
【００５５】
一方、待ち時間タイマがタイムアップする前に電極センサ４６がＯＮしたとき（この場合は給水電磁弁の開弁故障が生じて、洗浄槽２０への給水が継続していると判断できる）は、ＳＴＥＰ２０からＳＴＥＰ２１に進む。
【００５６】
ＳＴＥＰ２１はエラー報知部１２による処理である。エラー報知部１２は、図６（ｃ）に示したように、標準ＬＥＤ５３ｅと乾燥ＬＥＤ５３ｃを点滅させる「給水電磁弁エラー表示」（本発明の給水弁の故障を特定した報知に相当する）を行う。
【００５７】
また、制御部１１は、次のＳＴＥＰ２２でポンプ２６を排水運転することで、洗浄槽２０からの溢水を停止する処理を行う。
【００５８】
次に、水位センサ３１の故障が生じたときには、ＳＴＥＰ２で水位センサ３１がＯＮすることがないために、給水管４１から洗浄槽２０への給水が継続して、洗浄槽２０から水が溢れ出す。そして、ＳＴＥＰ１０で、電極センサ４６がＯＮした時にＳＴＥＰ１１に進む。
【００５９】
ＳＴＥＰ１１はエラー報知部１２による処理である。エラー報知部１２は、図６（ｂ）に示したように、槽内洗浄ＬＥＤ５３ｄと予約ＬＥＤ５４ａを点滅させる「水位センサエラー表示」（本発明の水センサの故障を特定した報知に相当する）を行う。また、続くＳＴＥＰ１２で、制御部１１は、給水電磁弁４４を閉弁すると共にポンプ２６を排水運転することにより、洗浄槽２０からの溢水を停止する処理を行う。
【００６０】
ここで、エラー報知部１２は、コントローラ１０の作動中に、電極センサ４６の検出信号を常時監視する。そして、電極センサ４６がＯＮしたときに、エラー報知部１２は、図６（ａ）に示したように、槽内洗浄ＬＥＤ５３ｄとソフト排気５３ｅを点滅させる「水漏れエラー表示」を行う。
【００６１】
このように、エラー報知部１２は、電極センサ４６がＯＮした要因が特定できない場合は、図６（ａ）に示した「水漏れエラー表示」を行い、「給水工程」で電極センサ４６がＯＮしたことから、水位センサ３１が故障していると判断できるときには、図６（ｂ）に示した「水位センサエラー表示」を行う。また、給水工程が終了して、待ち時間タイマがタイムアップする前に電極センサ４６がＯＮしたことから、給水電磁弁４４が故障していると判断できるときには、図６（ｃ）に示した「給水電磁弁エラー表示」を行う。
【００６２】
これにより、使用者は、図６（ｂ）の「水位センサエラー表示」がなされたときは水位センサ３１が故障していると認識することができ、図６（ｃ）の「給水電磁弁エラー表示」がなされたときには給水電磁弁４４が故障していると認識することができる。
【００６３】
そのため、使用者は、サービスセンター等に連絡して食器洗浄機１の修理を依頼するときに、水位センサ３１或は給水電磁弁４４が故障していることを伝えることができる。そして、修理依頼を受けたサービス要員等の修理担当者は、水位センサ３１或は給水電磁弁４４の故障を修理するための準備をして食器洗浄機１の設置場所に赴き、速やかに修理を行うことができる。
【００６４】
なお、本実施形態では、前面引き出し式の食器洗浄機１を示したが、前面扉開閉式（フロントオープン式）の食器洗浄機に対しても、本発明の適用が同様に可能である。
【００６５】
また、本実施形態では、本発明の溢水センサとして、筐体４０の底部に設けられた電極センサ４６を用いたが、水位検出槽３０に設けられて洗浄槽２０の満水位を検出する水位センサ等の他の構成によるセンサを、溢水センサとして用いてもよい。
【００６６】
また、本実施形態では、図５のＳＴＥＰ５，６及びＳＴＥＰ２０，２１により、給水電磁弁４４の故障を特定したエラー報知を行ったが、このエラー報知を行わない場合にも、本発明の効果を得ることができる。
【符号の説明】
【００６７】
１…食器洗浄機、１０…コントローラ、１１…制御部、１２…エラー報知部、２０…洗浄槽、３１…水位センサ、４０…筐体、４１…給水管、４４…給水電磁弁（給水弁）、４５…位置センサ、４６…電極センサ（溢水センサ）、５０…操作部。
【図１】
2016101409.tif 000003
【図２】
2016101409.tif 000004
【図３】
2016101409.tif 000005
【図４】
2016101409.tif 000006
【図５】
2016101409.tif 000007
【図６】
2016101409.tif 000008